(57)【要約】【課題】災害等の非常時の水と便所の不足に備え、通常時には休息と水の摂取を行えるような設備を提供する。【解決手段】通常時に休憩所として利用することができ、非常時に便所として利用することができる屋外の水場設備１は、水を貯留する貯水タンク６０と、便器５３と、便器５３に覆い被さるように便器５３の上に設けられるベンチ座板５４と、便器５３に隣接したケーシング４１と、ケーシング４１の上部に設けられたシンク４２と、シンク４２の上に設けられた蛇口４９と、ケーシング４１内に収容され、蛇口４９に接続された濾過器４６と、ケーシング４１内に収容され、濾過器４６に接続され、貯水タンク６０に貯留された水を吸い上げて濾過器４６に吐出する手動ポンプ４４と、を備え、ベンチ座板５４が便器５３の上から取り外し可能である。【選択図】図１
2015192786.tif 000002
【特許請求の範囲】
【請求項１】
通常時に休憩所として利用することができ、非常時に便所として利用することができる屋外の水場設備であって、
水を貯留する貯水タンクと、
便器と、
前記便器に覆い被さるように前記便器の上に設けられるベンチ座板と、
前記便器に隣接したケーシングと、
前記ケーシングの上部に設けられたシンクと、
前記シンクの上に設けられた蛇口と、
前記ケーシング内に収容され、前記蛇口に接続された濾過器と、
前記ケーシング内に収容され、前記濾過器に接続され、前記貯水タンクに貯留された水を吸い上げて前記濾過器に吐出する手動ポンプと、を備え、
前記ベンチ座板が前記便器の上から取り外し可能であることを特徴とする水場設備。
【請求項２】
請求項１に記載の水場設備において、
前記蛇口が自在蛇口又は回転式蛇口であることを特徴とする水場設備。
【請求項３】
請求項１又は２に記載の水場設備において、
前記貯水タンクが雨水を貯留するタンクであることを特徴とする水場設備。
【請求項４】
請求項１から３の何れか一項に記載の水場設備において、
前記便器の周囲において地面上に立てられた状態に設けられた柵又は柱を更に備えることを特徴とする水場設備。
【請求項５】
請求項１から４の何れか一項に記載の水場設備において、
地盤に埋められ、出入口が前記便器の近くの地面に設けられた地下シェルターと、
前記出入口の上に設けられた台と、を備え、
前記台が前記出入口の上から退避可能であることを特徴とする水場設備。
【発明の詳細な説明】
【技術分野】
【０００１】
本発明は、通常時に休憩所として利用することができ、非常時に便所として利用することができる水場設備に関する。
【背景技術】
【０００２】
地震等の災害が発生した場合、便所が不足することが予想される。特許文献１に記載のトイレ収納ベンチは、災害時の便所の不足を解消するためのものである。特許文献１の記載によれば、ボックス状の複数の脚が間隔を置いて配列されており、これら脚の上面に便座がそれぞれ設けられ、板状体がこれら便座の上からこれら脚の上面に設置され、この板状体がこれら脚の間に架け渡されている。通常時は、この板状体はベンチの座面として用いられるものである。板状体を取り外せば、板状体をタンカとして利用可能であるとともに、脚を便器として利用可能である。
【先行技術文献】
【特許文献】
【０００３】
【特許文献１】特願２００８−３０５５７３号公報
【発明の概要】
【発明が解決しようとする課題】
【０００４】
災害時には、便所のみならず、様々な物資が不足する。特に、水不足は深刻である。
そこで、本発明が解決しようとする課題は、災害等の非常時の水と便所の不足に備えることと、通常時には休息と水の摂取を行えるような設備を提供することである。
【課題を解決するための手段】
【０００５】
上記課題を解決するための請求項１に係る発明は、例えば図１及び図３に示すように、通常時に休憩所として利用することができ、非常時に便所として利用することができる屋外の水場設備１であって、水を貯留する貯水タンク６０と、便器５３と、前記便器５３に覆い被さるように前記便器５３の上に設けられるベンチ座板５４と、前記便器５３に隣接したケーシング４１と、前記ケーシング４１の上部に設けられたシンク４２と、前記シンク４２の上に設けられた蛇口４９と、前記ケーシング４１内に収容され、前記蛇口４９に接続された濾過器４６と、前記ケーシング４１内に収容され、前記濾過器４６に接続され、前記貯水タンク６０に貯留された水を吸い上げて前記濾過器４６に吐出する手動ポンプ４４と、を備え、前記ベンチ座板５４が前記便器５３の上から取り外し可能であることを特徴とする水場設備１である。
【０００６】
請求項１に係る発明によれば、ベンチ座板５４を便器５３の上に設ければ、それをベンチとしてベンチ座板５４に座れる。また手動ポンプ４４を作動させることによって、貯水タンク６０内の水を濾過器４６に送って、濾過された水を蛇口４９から流し出すことができる。この水は濾過されたものであるから衛生的であり、飲料水として利用することができる。よって、ベンチ座板５４に座って、蛇口４９から出た水を飲料しながら、休息をとることができる。
また、洗い物をシンク４２内に入れて、蛇口４９から流れ出てくる水によって洗い物を洗うことができる。
ベンチ座板５４を外せば、便器５３が露出する。そのため、便器５３を使用することができる。よって、災害時等の非常時の便所の不足に備えることができる。
また、ケーシング４１が便器５３に隣接し、蛇口４９及びシンク４２がケーシング４１の上部に設けられているから、便器５３の使用後すぐに手洗いをすることができる。
非常時においても、蛇口４９から流れ出てくる水によって洗い物をすることができるとともに、その水を摂取することができる。
【０００７】
請求項２に係る発明は、例えば図３に示すように、請求項１に記載の水場設備１において、前記蛇口４９が自在蛇口又は回転式蛇口であることを特徴とする水場設備１である。
【０００８】
請求項２に係る発明によれば、蛇口４９を様々な方向に向けることができる。例えば、蛇口４９をシンク４２に向けることによって、シンク４２に水を貯めたり、シンク４２内で洗い物を洗ったりすることができる。例えば、蛇口４９を便器５３に向ければ、蛇口４９から流れ出てきた水によって便器５３の洗浄も行うことができる。
【０００９】
請求項３に係る発明は、例えば図１に示すように、請求項１又は２に記載の水場設備１において、前記貯水タンク６０が雨水を貯留するタンクであることを特徴とする水場設備１である。
【００１０】
請求項３に係る発明によれば、上水が断水した場合でも、水を利用することができる。また、上水が断水していなくても、上水の使用料の削減を図ることができる。
【００１１】
請求項４に係る発明は、例えば図１に示すように、請求項１から３の何れか一項に記載の水場設備１において、前記便器５３の周囲において地面上に立てられた状態に設けられた柵１０又は柱１５を更に備えることを特徴とする水場設備１である。
【００１２】
請求項４に係る発明によれば、柵１０又は柱１５をテント５６の骨組みとして用いてそのテント５６を張ることができる。張ったテント５６によって便器５３及びその使用者が隠れる。よって、使用者のプライバシーを保護することができる。
【００１３】
請求項５に係る発明は、図１及び図２に示すように、請求項１から４の何れか一項に記載の水場設備１において、地盤に埋められ、出入口２１が前記便器５３の近くの地面に設けられた地下シェルター２０と、前記出入口２１の上に設けられた台３０と、を備え、前記台３０が前記出入口２１の上から退避可能であることを特徴とする水場設備１である。
【００１４】
請求項５に係る発明によれば、地下シェルター２０に避難することができる。地下シェルター２０の出入口２１が便器５３の近くに設けられているため、地下シェルター２０から出てすぐに便器５３を使用することができる。地下シェルター２０の出入口２１を台３０によって隠すことができるともに、保護することができる。
また、台３０が出入口２１の上から退避されず、ベンチ座板５４を便器５３の上に設けることによってベンチが構成されていれば、そのベンチと台３０を併用することができる。例えば、台３０をベンチとして利用して、ベンチ座板５４に座った人と台３０に座った人が向かい合わせになり、屋外で雑談、会話、会議、バーベキュー等によるコミュニケーションをとることができる。例えば、台３０をテーブルとして利用して、ベンチ座板５４に座った人が台３０の上で各種の作業を行うことができる。
【発明の効果】
【００１５】
本発明によれば、通常時には、ベンチ座板に座って、蛇口から出た水を摂取しながら、休息をとることができる。
非常時及び通常時の何れの場合でも、蛇口から流れ出てくる水によって洗い物を洗うことができ、蛇口から流れ出てくる水の摂取をすることができる。
非常時には、ベンチ座板を外せば、便器を利用することができる。便器の使用後すぐに手を洗うことができる。
【図面の簡単な説明】
【００１６】
【図１】建物の一階の見取り図である。
【図２】地下シェルターの出入口の上に設置される台の概略斜視図である。
【図３】水場ユニットの分解斜視図である。
【図４】水場ユニットの斜視図である。
【図５】地下シェルターの出入口構造の分解斜視図である。
【図６】地下シェルターの出入口構造の斜視図である。
【発明を実施するための形態】
【００１７】
以下に、本発明を実施するための形態について図面を用いて説明する。但し、以下に述べる実施形態には、本発明を実施するために技術的に好ましい種々の限定が付されている。そのため、本発明の技術的範囲を以下の実施形態及び図示例に限定するものではない。
【００１８】
図１は、建物９０の一階の平面図である。建物９０の一階のうち、玄関ポーチ９１、テラス９２、駐車場前スペース（カーポート出入口）９５、カーポート９６及び裏テラス９８が屋外空間であり、玄関９３及びコミュニティポーチ９４が屋内空間である。
【００１９】
一階の南側部分がピロティタイプの玄関ポーチ９１、テラス９２及びカーポート出入口９５である。玄関ポーチ９１が南側中央部分に配設され、テラス９２が玄関ポーチ９１の西側に配設され、駐車場前スペース９５が玄関ポーチ９１の東側に配設されている。駐車場前スペース９５の北側にはピロティタイプのカーポート９６が配設され、カーポート９６の北側にはピロティタイプの裏テラス９８が配設されている。駐車場前スペース９５、カーポート９６及び裏テラス９８は南北に続いている。
【００２０】
カーポート９６の西側には玄関土間及び玄関ホールを含む玄関９３が配設されており、一階と二階とを行き来するための階段９７がこの玄関９３に設けられている。この玄関９３は玄関ポーチ９１の北側に配設されている。裏テラス９８の西側にはコミュニティポーチ９４が配設されている。コミュニティポーチ９４が玄関９３の北側から西側にかけて平面視略Ｌ字状に形成されている。コミュニティポーチ９４の西側部分がテラス９２の北側に配設されており、コミュニティポーチ９４の西側部分とテラス９２は掃き出し窓によって仕切られている。コミュニティポーチ９４の周囲の外壁には窓が複数設けられており、当該窓を開放することによって、コミュニティポーチ９４を屋外に開けた開放的な空間として人に認識させることができる。
【００２１】
裏テラス９８には、水場設備１が設けられている。この水場設備１は、通常時に休憩所として利用することができ、震災等の非常時に便所及び避難所として利用することができる。
【００２２】
水場設備１は柵１０、柱１５、地下シェルター２０、台３０、水場ユニット４０及び貯水タンク６０等を備える。
【００２３】
柵１０は裏テラス９８の北側及び東側の地面に立てられた状態に設けられ、裏テラス９８の北側及び東側が柵１０によって囲われている。柵１０がルーバー型の柵であり、柵１０の通気性及び採光性が高い上、裏テラス９８の目隠しを柵１０によって実現することができる。
【００２４】
柱１５は裏テラス９８の北東角部の地面に立てられた状態に設けられている。この柱１５は建物９０の二階部分（特に、裏テラス９８の上の部分）を支えるものである。柱１５によって建物９０の二階部分が支えられることによって裏テラス９８が建物９０の外部空間として確保され、裏テラス９８がピロティタイプとなる。
【００２５】
地下シェルター２０は裏テラス９８の南側部分の地盤に埋設されており、地下シェルター２０の一部が裏テラス９８の地盤からカーポート９６の北側部分の地盤に及んでいる。裏テラス９８の地面には、地下シェルター２０の出入口２１が設けられており、その出入口２１がハッチ２２によって開閉される。震災等の非常時には、地下シェルター２０に避難することができる。
【００２６】
台３０はベンチ又はテーブルである。台３０が地下シェルター２０の出入口２１及びハッチ２２の上から裏テラス９８の地面に設置されており、出入口２１及びハッチ２２が台３０の下に隠れている。台３０の一部又は全体を出入口２１及びハッチ２２の上から別の場所に退避させることによって、地下シェルター２０の出入口２１及びハッチ２２を露出させることができる。
【００２７】
図２は台３０の分解斜視図である。台３０は三つの台ユニット３１から構成されている。何れの台ユニット３１も脚部３２及び天板３３を有し、天板３３が脚部３２の上端に取り付けられている。これら台ユニット３１が並列されることによって、台ユニット３１が構成される。地下シェルター２０の出入口２１が裏テラス９８の地面よりも一段高くなるように突出しており、その出入口２１逃げ用の窪み３４が台ユニット３１の脚部３２に形成され、地下シェルター２０の出入口２１が窪み３４に納まる。
【００２８】
貯水タンク６０は裏テラス９８の地盤に埋設されている。貯水タンク６０には、雨水が貯留されている。この建物９０又はこの建物９０の敷地内には、雨水を貯水タンク６０に収集して貯水タンク６０に雨水を貯留する雨水収集設備が設けられている。なお、上水が貯水タンク６０に貯留されてもよい。また、貯水タンク６０が裏テラス９８の地面の上に設けられていてもよいし、裏テラス９８以外の場所に設けられていてもよい。
【００２９】
水場ユニット４０は通常時にベンチ並設水洗い場として使用することができ、非常時に便器並設水洗い場として使用することができる。水場ユニット４０は裏テラス９８に設置されており、より具体的には柵１０及び柱１５の近くに設置されている。
【００３０】
図３は水場ユニット４０の分解斜視図であり、図４は水場ユニット４０の斜視図である。この水場ユニット４０は第一ケーシング４１、シンク４２、排水管４３、手動ポンプ４４、レバー４５、濾過器（浄水器）４６、給水管４７，４８，蛇口４９、第二ケーシング５１、仕切り板５２、便器５３、ベンチ座板５４、背板５５及びテント５６を備える。
【００３１】
第一ケーシング４１が直方体箱状に設けられ、第一ケーシング４１の内側に中空が形成されている。図４に示すように、第一ケーシング４１の側面に開口４１ａが形成され、閉塞板４１ｂが開口４１ａに嵌め込まれて、閉塞板４１ｂの表面と第一ケーシング４１の側面が面一になっている。閉塞板４１ｂを第一ケーシング４１から取り外すことによって開口４１ａが開かれる。なお、閉塞板４１ｂが第一ケーシング４１にヒンジ結合されてもよい。
【００３２】
シンク４２が第一ケーシング４１の上部に設けられている。シンク４２は、上に向けて開口した容器である。シンク４２の底には排水管４３の一端が接続されている。排水管４３は、シンク４２の底から第一ケーシング４１内を通って第一ケーシング４１の後面の外側まで配管されている。排水管４３の他端が開放されている。なお、排水管４３がシンク４２から下水管まで配管されていてもよい。
【００３３】
第一ケーシング４１内には、手動ポンプ４４、濾過器４６及び給水管４７，４８が設けられている。手動ポンプ４４は、連結管によって貯水タンク６０に接続されている。なお、その連結管が手動ポンプ４４から取り外し可能であり、連結管に代えてフレキシブルな取水管の一端を手動ポンプ４４に接続してもよい。その取水管の他端を運搬容器等内の水に投入すれば、その水を手動ポンプ４４によって蛇口４９に汲み上げることができる。
【００３４】
給水管４７の一端が手動ポンプ４４に接続され、給水管４７の他端が濾過器４６に接続されている。給水管４８の一端が濾過器４６に接続され、給水管４８の他端が蛇口４９に接続されている。
この蛇口４９がシンク４２の上に設けられている。具体的には、蛇口４９がＪ字型のパイプであり、蛇口４９が第一ケーシング４１の上面から上方へ延び出て下に折り返されており、蛇口４９の先端が下方へ向けられている。蛇口４９は、その基端部において回転可能な回転蛇口である。なお、蛇口４９が、フレキシブルなパイプからなる自在蛇口であってもよい。
【００３５】
濾過器４６には各種のフィルターが設けられている。例えば、砂利フィルター、セラミックフィルター、活性炭フィルター又は中空糸膜フィルターが濾過器４６に設けられている。濾過器４６に設けられるフィルターの数や種類は２以上であることが好ましい。濾過器４６によって濾過された水は飲料水に適している。
【００３６】
手動ポンプ４４には、操作レバー４５が連結されている。この操作レバー４５は手動ポンプ４４から取り外し可能である。
【００３７】
操作レバー４５を回転させることによって手動ポンプ４４を作動させることができる。手動ポンプ４４が作動すると、貯水タンク６０内の水が手動ポンプ４４によって手動ポンプ４４に吸引され、その吸引された水が手動ポンプ４４によって濾過器４６に吐出される。手動ポンプ４４から送られた水が濾過器４６に通されると、水から不純物が濾過器４６によって取り除かれ、これにより水が浄水・濾過される。濾過された水が蛇口４９から流出される。蛇口４９の先端がシンク４２に向けられていれば、排出された水がシンク４２に注水され、その水がシンク４２の底から排水管４３を通って排水される。
【００３８】
なお、蛇口４９に手動式の水栓が設けられ、給水管４８の一端から他端の間の何れかの位置に手動式の方向切替弁が設けられ、その方向切替弁が上水管に接続されていてもよい。方向切替弁を操作することによって蛇口４９と濾過器４６を方向切替弁によって通じた状態にし、水栓を開いて、操作レバー４５を回転させれば、上述したように蛇口４９から水が排出される。一方、方向切替弁を操作することによって上水管と蛇口４９を方向切替弁によって通じた状態にし、水栓を開けば、上水が蛇口４９から排出される。
【００３９】
第二ケーシング５１は直方体箱状に設けられ、第二ケーシング５１の内側に中空が形成されている。第二ケーシング５１の上面に開口が形成され、第二ケーシング５１の中空が上方に向けて開口する。この第二ケーシング５１は第一ケーシング４１の右に隣接して設けられている。第二ケーシング５１の高さが第一ケーシング４１の高さよりも低い。
【００４０】
仕切り板５２が第二ケーシング５１の左右の側面に対して平行になるように第二ケーシング５１の内側に設けられ、第二ケーシング５１の中空が仕切り板５２によって左側面側の第一領域５１ａと右側面側の第二領域５１ｂに区分けされている。第二ケーシング５１のうち第一領域５１ａを囲う部分は、第二領域５１ｂを囲う部分よりも低く設けられている。
【００４１】
第一領域５１ａには便器５３が設けられており、この便器５３が第一ケーシング４１に隣接する。便器５３は上板５３ａ、便座５３ｃ、便蓋５３ｅ及び便鉢５３ｆを有する。便鉢５３ｆが第一領域５１ａ内に収容された状態で第二ケーシング５１に取り付けられている。便鉢５３ｆの上面が開口し、便鉢５３ｆの中空が上方に向けて開口する。便鉢５３ｆは汚物を受けるものである。具体的には、使い捨ての汚物受け袋が便鉢５３ｆ内側に設けられ、汚物受け袋の開口部が上に向けられて便鉢５３ｆの上端から便鉢５３ｆの外に折り返され、その汚物受け袋の開口部が便鉢５３ｆに取り付けられており、その汚物受け袋が便鉢５３ｆから取り外し可能である。
【００４２】
上板５３ａが便鉢５３ｆ及び第一領域５１ａの上に配設され、上板５３ａの縁部が第二ケーシング５１の上端に取り付けられている。上板５３ａの中央部に開口５３ｂが形成され、便鉢５３ｆの開口及び汚物受け袋の開口部が上板５３ａの開口５３ｂに対向する。上板５３ａが第二ケーシング５１に対して取り外し・取り付け可能である。上板５３ａを第二ケーシング５１から取り外すと、汚物受け袋の交換、取り付け及び取り外しが可能である。
【００４３】
上板５３ａの上に便座５３ｃ及び便蓋５３ｅが設けられている。具体的には、便座５３ｃ及び便蓋５３ｅの後端部が上板５３ａの上面の後端部に左右方向の軸回りに回転可能となって取り付けられ、便座５３ｃ及び便蓋５３ｅがその軸を支点として振り上げ振り下げ可能に設けられている。便座５３ｃが長円枠状に設けられ、便座５３ｃの中央部に開口５３ｄが形成されている。便蓋５３ｅは長円形板状に設けられている。
【００４４】
便座５３ｃが振り下げられると、便座５３ｃが上板５３ａの上に載置され、便座５３ｃの開口５３ｄが上板５３ａの開口５３ｂに対向する。更に便蓋５３ｅが振り下げられると、便蓋５３ｅが便座５３ｃに重なって、便座５３ｃの開口５３ｄが便蓋５３ｅによって塞がれる。
【００４５】
なお、便鉢５３ｆを省略し、第二ケーシング５１のうち第一領域５１ａを囲んだ部分を便鉢として機能させてもよい。この場合、使い捨ての汚物受け袋が第一領域５１ａ内に収容されて、その汚物受け袋の開口が上に向けられて上板５３ａの開口５３ｂに対向する。
【００４６】
便鉢５３ｆが排水管を通じて下水管又は浄化設備に接続されていてもよい。浄化設備は汚水の浄化処理をするものである。
【００４７】
上板５３ａの上面には、複数の凸部５３ｇが形成されている。これら凸部５３ｇは上板５３ａの開口５３ｂ、便座５３ｃ及び便蓋５３ｅの周囲に配置されている。上板５３ａの上面を基準とした凸部５３ｇの高さは振り下げられた便座５３ｃと便蓋５３ｅの全体としての高さよりも高く、凸部５３ｇの上端が第二ケーシング５１のうち第二領域５１ｂを囲う部分の上端に揃っている。
【００４８】
ベンチ座板５４が便蓋５３ｅ及び第二ケーシング５１の上から第二ケーシング５１及び便蓋５３ｅに覆い被さり、第二領域５１ｂの上の開口がベンチ座板５４によって塞がれ、上板５３ａ、便座５３ｃ及び便蓋５３ｅがベンチ座板５４によって覆い隠される。
ベンチ座板５４が、第二ケーシング５１のうち第二領域５１ｂを囲う部分の上端に載置されて支持されているとともに、凸部５３ｇに載置されて支持されている。これにより、ベンチ座板５４の姿勢が安定する。
このベンチ座板５４は第二ケーシング５１から取り外し可能であり、ベンチ座板５４が取り外されると、便座５３ｃ及び便蓋５３ｅが露出されるとともに、第二領域５１ｂの上の開口が開放される。
台３０がベンチである場合には、ベンチ座板５４の高さが台３０の高さに等しいことが好ましい。勿論、ベンチ座板５４の高さが台３０の高さと異なっていてもよい。
台３０がテーブルである場合には、ベンチ座板５４の高さが台３０の高さよりも低いことが好ましい。
【００４９】
第二ケーシング５１の後ろには、背板５５が立てた状態に設けられている。地面を基準とした背板５５の高さは第二ケーシング５１の上に設置されたベンチ座板５４の高さよりも高い。従って、第二ケーシング５１、ベンチ座板５４及び背板５５の組み合わせが背もたれ付きベンチとして機能し、ベンチ座板５４がベンチの座板として機能し、背板５５がベンチの背もたれとして機能し、第二ケーシング５１がベンチの脚部として機能する。
【００５０】
第二領域５１ｂ内にはテント５６が解体されて折り畳まれた状態で収納されている。このテント５６は便器５３及びその使用者を目隠しするためのものであり、テント５６は便器５３を包み込むように設営可能である。つまり、テント５６が第二領域５１ｂから取り出されて設営されると、便器５３がテント５６内に収容される。そのため、使用者は、設営されたテント５６内に入って便器５３の便座５３ｃに座ることができる。なお、柵１０若しくは柱１５又はこれらの両方をテント５６の骨組みとして利用してもよい。
【００５１】
水場ユニット４０が裏テラス９８に設置された状態では、第二ケーシング５１及び便器５３が台３０の向かいにある。
【００５２】
水場ユニット４０の使用方法について説明する。
通常時には、テント５６を解体してそのテント５６を折り畳んで、そのテント５６を第二ケーシング５１の第二領域５１ｂ内に収納する。更に、便座５３ｃ及び便蓋５３ｅを振り下げる。そして、ベンチ座板５４を便蓋５３ｅ及び第二ケーシング５１の上から第二ケーシング５１及び便蓋５３ｅに覆い被せる。そのため、通常時には、この水場ユニット４０をベンチ並設の水洗い場として使用することができる。水が必要な場合には、操作レバー４５を操作すれば、濾過された水が蛇口４９から流れ出てくる。
【００５３】
災害等の非常時には、ベンチ座板５４を取り外して、便蓋５３ｅ及び便座５３ｃを露出させる。更に、汚物受け袋を便鉢５３ｆに設置する。また、第二ケーシング５１の第二領域５１ｂ内からテント５６を取り出し、そのテント５６を張って、便器５３をそのテント５６に覆って、便器５３をテント５６の内側に納める。そのため、非常時には、この水場ユニット４０を便器並設の水洗い場又は手洗い場として使用することができる。
【００５４】
通常時には、この水場設備１が次のような効果をもたらす。
【００５５】
（１）  ベンチ座板５４を便器５３の上に設置すれば、ベンチ座板５４に座って、背中を背板５５にもたれかかって、休息をとることができる。また、操作レバー４５を回転させることによって蛇口４９から水を流し出して、その水を摂取することができる。
（２）  ベンチ座板５４が覆い被さった第二ケーシング５１が台３０の向かいに設置されているため、ベンチ座板５４に座った状態で台３０を作業台（作業テーブル）として利用することができる。例えば、台３０を調理台として利用したり、食卓として利用したりすることができる。また、台３０をベンチとして利用して、ベンチ座板５４に座った人と台３０に座った人が向かい合わせになり、両者が会話を行える。よって、屋外で雑談、会話、会議、バーベキュー等によるコミュニケーションをとることができる。
（３）  貯水タンク６０に貯留された水が雨水であっても、その水が濾過器４６によって濾過され、濾過された水が蛇口４９から流れ出てくるので、衛生的な水を提供することができる。雨水の利用によって、上水の使用料の削減を図ることができる。
（４）  台３０及びベンチ座板５４のすぐ近くに蛇口４９及びシンク４２があるので、建物９０内にまで水洗いをしに行かなくても済む。例えば、ベンチ座板５４に座って、台３０を作業台として調理を行っている場合、調理器具及び食材等をすぐに水洗することができる。調理器具や食材等の洗い物を水洗する際には、洗い物をシンク４２内で流水洗いをしたり、シンク４２内に貯めた水で洗い物を洗ったりすることができる。
（５）  大がかりな準備をしなくても、裏テラス９８で調理や食事を行うことができる。裏テラス９８が屋外であるため、非日常的な時間を裏テラス９８で過ごすことができる。また、裏テラス９８がピロティタイプであるため、裏テラス９８における作業中に天候が急に悪化しても、雨に濡れずに済む。
（６）  ベンチ座板５４及び第二ケーシング５１によって便器５３が隠れるので、視認者に不潔感・不快感を与えずに済む。
（７）  ベンチ座板５４及び第二ケーシング５１によって便器５３及びテント５６を風雨及び日光から保護することができる。
（８）  台３０によって地下シェルター２０の出入口２１及びハッチ２２を隠すことができるとともに、出入口２１及びハッチ２２を風雨及び日光から保護することができる。
（９）  テント５６を第二ケーシング５１の第二領域５１ｂに収納することができ、テント５６の収納場所に困らない。
【００５６】
非常時には、この水場設備が次のような効果をもたらす。
【００５７】
（１）  ベンチ座板５４を外せば、便器５３が露出する。そのため、便器５３を使用することができる。
（２）  第一ケーシング４１が便器５３に隣接し、蛇口４９及びシンク４２が第一ケーシング４１の上部に設けられているから、蛇口４９及びシンク４２が便器５３のすぐ近くに配置される。そのため、便器５３の使用後すぐに手洗いをすることができる。
（３）  貯水タンク６０に貯留された水を使用するため、水道水が断水しても、水を確保することができる。特に、貯水タンク６０に貯留された水が雨水であるので、水の確保を効率よく行うことがきできる。しかも、貯水タンク６０に貯留された水が濾過器４６によって濾過され、蛇口４９から流れ出てくる水が衛生的である。
（４）  ポンプ４４が手動式であるため、停電等が発生しても蛇口４９から水を流し出すことができる。
（５）  便器５３が汚物受け袋を利用した簡易便器であるため、水道水が断水しても、便器５３を使用することができる。建物９０内のトイレを使用することができない場合でも、便器５３を使用することができる。
（６）  便器５３がテント５６によって覆われ、使用者がテント５６に入って便器５３を使用する。そのため、プライバシーの保護をすることができる。
（７）  建物９０等が破損した場合、地下シェルター２０に避難することができる。
（８）  便器５３の前に地下シェルター２０の出入口２１が設けられているので、地下シェルター２０から出てすぐに便器５３を使用することができる。
（９）  蛇口４９が自在蛇口又は回転蛇口であるため、蛇口４９の先端を便鉢５３ｆに向けることができる。そのため、便鉢５３ｆを水洗することができる。特に、便鉢５３ｆが排水管を通じて下水管又は浄化設備に接続されていれば、便鉢５３ｆを水洗した上で、汚物・汚水を下水管又は浄化設備に廃棄することができる。
（１０）  台３０を地下シェルター２０の出入口２１の上から退かしても、台３０を別の場所で利用することができる。
【００５８】
〔変形例１〕
図５は地下シェルターの出入口構造の分解斜視図であり、図６は地下シェルターの出入口構造の斜視図である。変形例１は、図５及び図６に示すように台３０に代えて台１３０を地下シェルター２０の出入口２１の上に設置したものである。
【００５９】
この台１３０はテーブルであり、台１３０の高さは第二ケーシング５１の上に設置されたベンチ座板５４の高さよりも高いことが好ましい。
台１３０について詳細に説明する。台１３０は脚部１３１、小型ドア１３４、天板１３５、ハッチ１３７及び直動型付勢機構１３８等を備える。
【００６０】
脚部１３１が矩形枠状に設けられ、脚部１３１の前面に開口１３２が形成され、その開口１３２は脚部１３１の前面を前後に貫通し、その開口１３２は脚部１３１の前面の下端から上端まで及んでいる。脚部１３１は地下シェルター２０の出入口２１を囲うように裏テラス９８の地面に設置されており、出入口２１が脚部１３１の内側に配置される。なお、脚部１３１は裏テラス９８の地面に固定されていてもよいし、裏テラス９８の地面上に単に載置されているだけでもよい。
【００６１】
脚部１３１の側面にはルーバー型の通気口１３３が形成されており、地下シェルター２０のダクト２３の一端が脚部１３１の内側において通気口１３３に連結されている。このダクト２３は地盤に埋められて地下シェルター２０まで配管されており、ダクト２３の他端が地下シェルター２０の内側に通じている。
【００６２】
小型ドア１３４が脚部１３１の開口１３２に設けられており、脚部１３１の開口１３２が小型ドア１３４によって開閉される。小型ドア１３４が両開き式のドアであり、小型ドア１３４が左右に分割され、一方の分割体がヒンジによって開口１３２の左縁部に連結され、他方の分割体がヒンジによって開口１３２の右縁部に連結される。なお、小型ドア１３４がスライド式のドア又は片開き式のドアであってもよい。
【００６３】
天板１３５が脚部１３１の上端に設けられている。天板１３５の前後長は脚部１３１の前後長よりも長く、天板１３５の縁部分が脚部１３１の上端から前後左右へはみ出ている。天板１３５には開口１３６が形成され、その開口１３６が天板１３５を上下に貫通し、その開口１３５が天板１３５の前縁まで及んでいて天板１３５の前縁においても開口する。脚部１３１の開口１３２が天板１３５の開口１３６に連なり、開口１３２の左右の縁が開口１３６の左右の縁に揃っている。
【００６４】
ハッチ１３７が天板１３５の開口１３６に設けられており、その開口１３６がハッチ１３７によって開閉される。ハッチ１３７が跳ね上がり式の蓋であり、ハッチ１３７の後端部が開口１３６の後縁部にヒンジによって連結されている。ハッチ１３７は折りたたみ式の蓋であり、ハッチ１３７が前後二つに分割され、これらの分割体がヒンジによって連結され、これら分割体を重ねるようにハッチ１３７を折り畳むことができる。ハッチ１３７が閉じられた状態では、ハッチ１３７の上面と天板１３５の上面が面一になる。
【００６５】
直動型付勢機構１３８は、伸縮可能に設けられているとともに伸張する方向に付勢するエアダンパーである。具体的には、直動型付勢機構１３８は、シリンダーと、シリンダー内に設けられているとともにシリンダーの長手方向に進退するピストンと、ピストンがシリンダーから進出する方向に付勢する機構とを備える。直動型付勢機構１３８の一端（シリンダーの基端）が左右方向の軸回りに回転可能となって天板１３５の下面に連結され、直動型付勢機構１３８の他端（ピストンの先端）が左右方向の軸回りに回転可能となってハッチ１３７の下面に連結されている。直動型付勢機構１３８が伸張すれば、ハッチ１３７が跳ね上がるように開き、直動型付勢機構１３８が収縮すれば、ハッチ１３７が伏せるように閉じる。
【００６６】
ハッチ１３７及び小型ドア１３４が開けば、地下シェルター２０の出入口２１が露出されるので、出入口２１を通って地下シェルター２０に出入りすることができる。ハッチ１３７及び小型ドア１３４が閉じれば、地下シェルター２０の出入口２１が隠れる。
【符号の説明】
【００６７】
１  水場設備
１０  柵
１５  柱
２０  地下シェルター
２１  出入口
３０，１３０  台
４１  ケーシング
４４  手動ポンプ
４６  濾過器
４９  蛇口
５３  便器
５４  ベンチ座板
６０  貯水タンク
【図１】
2015192786.tif 000003
【図２】
2015192786.tif 000004
【図３】
2015192786.tif 000005
【図４】
2015192786.tif 000006
【図５】
2015192786.tif 000007
【図６】
2015192786.tif 000008